(57)【要約】【課題】分割された屋根パネルにおいても、施工時の安定性を確保する。【解決手段】  屋根面に開口部を有する屋根を母屋に形成する屋根パネルである。屋根パネルは、開口部を形成するため分割された第一パネル及び第二パネルを備えている。分割されていない他の屋根パネルと同サイズとなるように、開口部をなす空間を介して第一パネル及び第二パネルに掛け渡された治具によって第一パネル及び第二パネルが一体化されている。【選択図】図１
2014012944.tif 000002
【特許請求の範囲】
【請求項１】
屋根面に開口部を有する屋根を母屋に形成する屋根パネルにおいて、
前記開口部を形成するため分割された第一パネル及び第二パネルを備え、
分割されていない他の屋根パネルと同サイズとなるように、前記開口部をなす空間を介して前記第一パネル及び前記第二パネルに掛け渡された治具によって前記第一パネル及び前記第二パネルが一体化されていることを特徴とする屋根パネル。
【請求項２】
請求項１記載の屋根パネルにおいて、
前記治具は、前記第一パネル及び前記第二パネルに対して着脱自在であることを特徴とする屋根パネル。
【請求項３】
屋根面に開口部を有する屋根を母屋に形成する屋根パネルの施工方法において、
前記屋根パネルは、
前記開口部を形成するため分割された第一パネル及び第二パネルと、
分割されていない他の屋根パネルと同サイズとなるように、前記第一パネル及び前記第二パネルを一体化するため、前記開口部をなす空間を介して前記第一パネル及び前記第二パネルに掛け渡された治具とを備え、
一体化された前記第一パネル及び前記第二パネルと、前記他の屋根パネルとを前記母屋に設置してから、前記第一パネル及び前記第二パネルを、隣接する前記他の屋根パネルに固定し、その後、前記治具を前記第一パネル及び前記第二パネルから取り外すことを特徴とする屋根パネルの施工方法。
【請求項４】
請求項３の屋根パネルの施工方法において、
前記開口部の下方にはバルコニーユニットが配置されていて、
前記第一パネル及び前記第二パネルのうち、一方のパネルよりも下方に配置されるパネルは、前記バルコニーユニットの外壁部の上端部で支持されていることを特徴とする屋根パネルの施工方法。
【請求項５】
請求項３又は４記載の屋根パネルの施工方法において、
前記治具は、前記第一パネル及び前記第二パネルに対して着脱自在であることを特徴とする屋根パネルの施工方法。
【発明の詳細な説明】
【技術分野】
【０００１】
本発明は、屋根パネル及びその施工方法に係り、特にバルコニー付きの建物に設置される屋根パネル及びその施工方法に関する。
【背景技術】
【０００２】
従来、建勾配屋根面に開口部を設けて、その開口部内にバルコニーを設置する建物が知られている（例えば特許文献１参照）。
図４は、バルコニーを備えた建物の概略構成を示す模式図であり、（ａ）が上面図、（ｂ）が正面図である。図４に示すように、建物１００の母屋１０１に対して、複数の屋根パネル１０２が配列されることで屋根１０３が形成されている。ここで、バルコニー１０４をなす開口部１０５に対応する部分においては、当該開口部１０５に応じて屋根パネル１０２が第一パネル１０２ａ及び第二パネル１０２ｂに分割されている。これら第一パネル１０２ａ及び第二パネル１０２ｂは母屋１０１に支持された状態で、隣接する屋根パネル１０２に固定されている。
【先行技術文献】
【特許文献】
【０００３】
【特許文献１】特開２０１０−１９００３７号公報
【発明の概要】
【発明が解決しようとする課題】
【０００４】
ところで、図４の点線部は、母屋１０１によって各屋根パネル１０２が支持されている部分を示している。通常の屋根パネル１０２においては、二箇所で支持されているが、第一パネル１０２ａ及び第二パネル１０２ｂは、隣接する屋根パネル１０２に固定される前には、各々一箇所だけで母屋１０１に支持されることになるため、不安定な状態となってしまう。
このため、本発明の課題は、分割された屋根パネルにおいても、施工時の安定性を確保することである。
【課題を解決するための手段】
【０００５】
請求項１に記載の発明は、
屋根面に開口部を有する屋根を母屋に形成する屋根パネルにおいて、
前記開口部を形成するため分割された第一パネル及び第二パネルを備え、
分割されていない他の屋根パネルと同サイズとなるように、前記開口部をなす空間を介して前記第一パネル及び前記第二パネルに掛け渡された治具によって前記第一パネル及び前記第二パネルが一体化されていることを特徴としている。
【０００６】
請求項１記載の発明によれば、第一パネル及び第二パネルに分割された屋根パネルが治具によって、分割されていない他の屋根パネルと同サイズとなるように一体化されているので、一体化された第一パネル及び第二パネルと、他の屋根パネルとを母屋に設置してから、第一パネル及び第二パネルを、隣接する他の屋根パネルに固定し、その後、治具を第一パネル及び第二パネルから取り外すことができる。このように、第一パネルと第二パネルとを治具により一体化した状態で母屋に設置することができる。第一パネルと第二パネルとがそれぞれ一箇所で母屋に支持されていたとしても治具によって両者が一体化されているため、隣接する屋根パネルに固定する前であっても安定して支持することができる。したがって、分割された屋根パネルにおいても、施工時の安定性を確保することが可能である。
【０００７】
請求項２記載の発明は、請求項１記載の屋根パネルにおいて、
前記治具は、前記第一パネル及び前記第二パネルに対して着脱自在であることを特徴としている。
【０００８】
請求項２記載の発明によれば、第一パネル及び第二パネルに対して治具が着脱自在であるので、治具を繰り返し使用することが可能である。
【０００９】
請求項３記載の発明は、
屋根面に開口部を有する屋根を母屋に形成する屋根パネルの施工方法において、
前記屋根パネルは、
前記開口部を形成するため分割された第一パネル及び第二パネルと、
分割されていない他の屋根パネルと同サイズとなるように、前記第一パネル及び前記第二パネルを一体化するため、前記開口部をなす空間を介して前記第一パネル及び前記第二パネルに掛け渡された治具とを備え、
一体化された前記第一パネル及び前記第二パネルと、前記他の屋根パネルとを前記母屋に設置してから、前記第一パネル及び前記第二パネルを、隣接する前記他の屋根パネルに固定し、その後、前記治具を前記第一パネル及び前記第二パネルから取り外すことを特徴としている。
【００１０】
請求項３記載の発明によれば、請求項１記載の発明と同等の作用効果を奏することができる。
【００１１】
請求項４記載の発明は、請求項３の屋根パネルの施工方法において、
前記開口部の下方にはバルコニーユニットが配置されていて、
前記第一パネル及び前記第二パネルのうち、一方のパネルよりも下方に配置されるパネルは、前記バルコニーユニットの外壁部の上端部で支持されていることを特徴としている。
【００１２】
請求項４記載の発明によれば、第一パネル及び第二パネルのうち、一方のパネルよりも下方に配置されるパネルが、バルコニーユニットの外壁部の上端部で支持されているので、例えばパネル専用の支持部材を追加しなくとも、バルコニーユニットの外壁部でパネルを支持することができる。
【００１３】
請求項５記載の発明は、請求項３又は４記載の屋根パネルの施工方法において、
前記治具は、前記第一パネル及び前記第二パネルに対して着脱自在であることを特徴としている。
【００１４】
請求項５記載の発明は、請求項２記載の発明と同等の作用効果を奏することができる。
【発明の効果】
【００１５】
本発明によれば、分割された屋根パネルにおいても、施工時の安定性を確保することが可能である。
【図面の簡単な説明】
【００１６】
【図１】本実施形態に係るバルコニーを備えた建物の概略構成を示す模式図であり、（ａ）が上面図、（ｂ）が正面図である。
【図２】本実施形態に係る母屋に設置前の屋根パネルの概略構成を示す正面図である。
【図３】本実施形態に係るバルコニーユニットの上方に配置された屋根パネルの概略構成を示す側面図である。
【図４】従来のバルコニーを備えた建物の概略構成を示す模式図であり、（ａ）が上面図、（ｂ）が正面図である。
【発明を実施するための形態】
【００１７】
以下、図面を参照して本発明の実施の形態について説明する。
図１は本実施形態に係るバルコニーを備えた建物の概略構成を示す模式図であり、（ａ）が上面図、（ｂ）が正面図である。図１に示すように、建物１の母屋２に対して、複数の屋根パネル３が配列されることで屋根４が形成されている。この屋根４の屋根面４１には、バルコニーユニット５を露出するための開口部４２が設けられている。
複数の屋根パネル３のうち、開口部４２に対応する屋根パネル３１，３２，３３には開口部４２をなす空間Ｓが形成されている。開口部４２の両端部をなす屋根パネル３１，３３には、当該開口部４２をなす切欠３１ａ，３３ａが設けられている。そして、屋根パネル３１，３３のうち、開口部４２の一端部をなす屋根パネル３１は、その短手方向の長さＨ１が他の屋根パネル３に比べて拡幅されている。また、開口部４２の中央部をなす屋根パネル３２は、開口部４２を形成するために当該開口部４２をなす空間を挟むように分割されている。
【００１８】
複数の屋根パネル３のうち、開口部４２をなす屋根パネル３１，３２，３３の右側に隣接する屋根パネル３４，３５，３６は、他の屋根パネル３よりも長手方向の長さＨ２が短く形成されている。
そして残りの屋根パネル３と、開口部４２の他端部をなす屋根パネル３３とは、全てサイズが均一化されている。一方、分割されている屋根パネル３２の外形のサイズは、母屋２に設置した後においては前記残りの屋根パネル３及び開口部４２の他端部をなす屋根パネル３３と同サイズとなっている。つまり、分割されている屋根パネル３２の前後方向に隣接する屋根パネル３１，３３とは、母屋２に設置した後においては長手方向の長さＨ３が同じとなっている。
【００１９】
図２は、母屋２に設置前の屋根パネル３２の概略構成を示す正面図である。図２に示すように、設置前の屋根パネル３２には、開口部４２を形成するために分割された第一パネル３２１及び第二パネル３２２と、これら第一パネル３２１及び第二パネル３２２を一体化する治具３２３とが備えられている。
第一パネル３２１及び第二パネル３２２は、図示しない鋼材によって枠状に形成されたフレームを表裏面とも野地板３２４で覆うことで矩形板状に形成されている。
治具３２３は、直線状の鋼材であり、分割されていない他の屋根パネル３と同サイズとなるように第一パネル３２１及び第二パネル３２２を一体化するため、開口部４２をなす空間Ｓを介して第一パネル３２１及び第二パネル３２２に掛け渡されている。治具３２３の両端部は、それぞれ第一パネル３２１及び第二パネル３２２に例えばボルト等の固定具３２５によって着脱自在に固定されている。
【００２０】
次に、屋根パネル３の施工方法について説明する。
まず、作業者は、母屋２の所定位置に対して各屋根パネル３を配置する。このとき、設置後に分割される屋根パネル３２においては、治具３２３によって第一パネル３２１及び第二パネル３２２が一体化された状態で、母屋２の所定位置、つまりバルコニーユニット５の上方に配置される。
【００２１】
図３は、バルコニーユニット５の上方に配置された屋根パネル３２の概略構成を示す側面図である。図３に示すように、屋根パネル３２の第一パネル３２１は、その上端部が母屋２の梁部２１に支持されている。他方、屋根パネル３２の第二パネル３２２は、その上端部がバルコニーユニット５の外壁部５１の上端部５２に支持されている。ここでバルコニーユニット５における外壁部５１の上端部５２は、例えば手摺りとして機能する。
その後、作業者は、第一パネル３２１を梁部２１に固定するとともに、第二パネル３２２を外壁部５１の上端部５２に固定する。さらに、作業者は、第一パネル３２１及び第二パネル３２２を、前後方向で隣接する屋根パネル３１，３３に対しても固定する。
これらの固定を終えると、作業者は、治具３２３を第一パネル３２１及び第二パネル３２２から取り外す。
【００２２】
以上のように本実施形態によれば、第一パネル３２１と第二パネル３２２とを治具３２３により一体化した状態で母屋２に設置することができる。第一パネル３２１と第二パネル３２２とがそれぞれ一箇所で母屋２に支持されていたとしても治具３２３によって両者が一体化されているため、屋根パネル３２の全体としては二箇所で支持されることになる。したがって、隣接する屋根パネル３１，３３に固定する前であっても第一パネル３２１及び第二パネル３２２を安定して支持することができ、分割された屋根パネル３２においても施工時の安定性を確保することが可能である。
さらに、分割されていない屋根パネル３と同サイズとなるように、第一パネル３２１及び第二パネル３２２が治具３２３によって一体化されているので、同じサイズの屋根パネル３としてまとめて搬送することができ、搬送性を高めることができる。
【００２３】
また、第一パネル３２１及び第二パネル３２２に対して治具３２３が着脱自在であるので、治具３２３を繰り返し使用することができる。
また、第二パネル３２２がバルコニーユニット５の外壁部５１の上端部５２で支持されているので、例えばパネル専用の支持部材を追加しなくとも、バルコニーユニット５の外壁部５１で第二パネル３２２を支持することができる。
ここで、第一パネル３２１はバルコニーユニット５上方の軒を形成するため、第一パネル３２１の張り出し量が大きいと深さのある軒を形成することが可能である。しかしながら、第一パネル３２１を単体で母屋２の梁部２１に載置した場合、第一パネル３２１が梁部２１から大きく張り出しているとバランスが悪くなってしまう。一方、上述したように第一パネル３２１が治具３２３によって第二パネル３２２と一体化された状態で、梁部２１に載置されると、屋根パネル３２は全体として二箇所で支持されるため、第一パネル３２１及び第二パネル３２２を安定して載置することができる。したがって、第一パネル３２１の張り出し量を大きくすることができ、バルコニーユニット５上方の軒を深くすることが可能となる。
【００２４】
なお、上記実施形態では、第二パネル３２２をバルコニーユニット５の外壁部５１で支持する場合を例示して説明しているが、第一パネル３２１及び第二パネル３２２のうち、一方のパネルよりも下方に配置されるパネルであれば第一パネル３２１をバルコニーユニット５の外壁部５１で支持するようにしてもよい。
【符号の説明】
【００２５】
１      建物
２      母屋
３      屋根パネル
４      屋根
５      バルコニーユニット
２１      梁部
４１      屋根面
４２      開口部
５１      外壁部
５２      上端部
３２１      第一パネル
３２２      第二パネル
３２３      治具
３２４      野地板
３２５      固定具
Ｓ      空間
【図１】
2014012944.tif 000003
【図２】
2014012944.tif 000004
【図３】
2014012944.tif 000005
【図４】
2014012944.tif 000006